(57)【要約】      （修正有）【課題】環境に配慮し、鮮度を保持でき、包装の手順が簡易な花卉用包装箱を提供する。【解決手段】花卉用包装箱は、主に花卉を収容する箱体を含み、箱体内に包装層が設置され、包装層上に板体が設置され、板体上に板体の上下を被覆して固定する発泡ポリエチレンを主とした固定層が設置され、固定層に少なくとも１つの花卉を差し込んで固定する。【選択図】図２
0003159331.tif 000002
【実用新案登録請求の範囲】
【請求項１】
花卉用包装箱であって、前記包装箱が主に前記花卉を収容する箱体を含み、前記箱体内に包装層が設置され、前記包装層上に板体が設置され、前記板体上を被覆して固定層が設置され、前記固定層上に少なくとも１つの前記花卉が差し込まれることを特徴とする、花卉用包装箱。
【請求項２】
前記固定層が発泡ポリエチレンまたは環境に配慮した材質であることを特徴とする、請求項１に記載の花卉用包装箱。
【請求項３】
前記花卉の肉穂花序箇所に、前記肉穂花序が花苞片にぶつかることによる前記花苞片の損傷、花序の断裂を防止する緩衝物を設置したことを特徴とする、請求項１に記載の花卉用包装箱。
【請求項４】
前記緩衝物が緩衝性と柔軟性を備えた材質であることを特徴とする、請求項３に記載の花卉用包装箱。
【請求項５】
前記固定層が複数の固定部材を利用して前記板体と相互に固定されたことを特徴とする、請求項１に記載の花卉用包装箱。
【請求項６】
前記包装層が環境に配慮した材質であることを特徴とする、請求項１に記載の花卉用包装箱。
【考案の詳細な説明】
【技術分野】
【０００１】
本考案は花卉の包装に関し、特に、鮮度を保持でき、環境に配慮した、包装手順が簡易な花卉用包装箱に関する。
【背景技術】
【０００２】
花の種類は非常に多く、土の上に咲いて、装飾や贈り物などの用途に利用される。花は栽培農園で摘み取られた後、洗浄、消毒、飽水、包装、運送等の手順を経て販売されるが、この過程で注意して花を包装し、保護しなければ、花が運送途中でぶつかったり、圧迫されたりして傷んでしまうため、包装の手順は重要であり、この包装の手順を省略したり、包装の方法が適切でないと、花が傷んでしまうことがある。
【０００３】
花の包装を増進または強化するために、一般に花苞片の面上にそれぞれプラスチックのカバーを被せ、花苞片がぶつかったり圧迫されたりすることから保護すると共に、鑑賞期間を延長するために茎の底部に鮮度保持管を取り付け、花の水分を維持することが行われており、これら手順が完了してから箱に入れられるが、この箱に入れる手順では花をしっかりと固定する必要があるため、花を箱に入れた後、テープを茎に貼ったり、輪ゴムで茎を固定したりして花の固定が行われる。
【０００４】
しかしながら、上述の花の箱入れは使用時に次のような問題と欠点が存在し、解決が待たれている。テープまたは輪ゴム、プラスチックカバーを採用して包装を行うと、コストが高く時間がかかるだけでなく、環境汚染を引き起こし、ごみが増えてしまう。また鮮度保持管で水分を維持する方法を採用すると、同様に環境汚染を引き起こし、かつ包装に手間がかかる。
【０００５】
このため、いかに上述の従来の問題と欠点を解決するかが、本考案の考案者及び関連産業に従事する企業が改善に取り組む方向性である。
【考案の概要】
【考案が解決しようとする課題】
【０００６】
本考案の考案者は上述の欠点に鑑みて、関連資料を収集し、多方面での評価と考慮を経て、関連産業において蓄積した長年の経験に基づき、試作と修正を重ね、極めて環境に配慮した、鮮度を保持でき、手順が簡易な花卉用包装箱の実用新案の開発に至ったものである。
【０００７】
本考案の主な目的は、従来の包装構造において存在するテープや輪ゴム、プラスチックカバーを採用した包装を採用すると、コストが高く時間がかかるだけでなく、環境汚染を引き起こし、ごみが増えてしまい、また鮮度保持管で水分を維持する方法を採用すると、同様に環境汚染を引き起こし、かつ包装に手間がかかるという問題点を打破し、固定層の設置によって花卉を固定でき、従来のプラスチックカバーやテープ、輪ゴムを使用する必要がなく、包装層の利用によって使用者が直接花卉の肉穂花序、仏炎苞片箇所に鮮度保持液を吹き付けた後、前記包装層で４面を被覆することで、鮮度保持効果を達することができる、実用性と進歩性を備えた、花卉用包装箱を提供することにある。
【０００８】
本考案の別の目的は、花卉の肉穂花序が長すぎたり、圧迫されたりすることで損傷や断裂を生じるときに、緩衝物を利用して前記肉穂花序を平穏に支持し、前記肉穂花序を損傷や断裂から効果的に保護することができる、花卉用包装箱を提供することにある。
【課題を解決するための手段】
【０００９】
本考案の花卉用包装箱は、花卉が箱体に収容され、前記箱体内に包装層が設けられ、前記包装層上に平らにするための板体が設置され、前記板体上に固定層が設置され、前記固定層上に少なくとも１つの花卉が差し込まれ、前記固定層により花卉を効果的に固定することができ、そのうち前記固定層は発泡ポリエチレンまたは環境に配慮した材質とし、使用者が花卉の包装を行うときは、まず前記箱体より面積が大きい前記包装層を箱体内に敷き、前記箱体の底部面積よりやや小さい前記板体を前記箱体内に設置し、前記固定層により前記板体の上下を被覆して固定した後、さらに前記花卉を前記固定層上に差し込んで前記花卉を固定し、さらに鮮度保持効果を達するために鮮度保持液を前記花卉の肉穂花序、仏炎苞片の箇所に吹き付け、上述の手順が完了した後、前記包装層で４面を被覆して、本考案の花卉用包装箱での包装が完了する。
【００１０】
本考案の花卉用包装箱は、前記箱体内に少なくとも１つの花卉を収容でき、前記花卉の茎と花苞片の面の接合箇所に肉穂花序がぶつかって花苞片が損傷したり、花序が断裂したりすることのないよう防止する緩衝物を設置してもよく、前記緩衝物は緩衝性と柔軟性を備えた材質とし、損傷や断裂を防止することができる。
【考案の効果】
【００１１】
全部の図に示すように、本考案の使用時には、従来技術と比較して次のような利点が存在する。
一、固定層１３の設置により、花卉２０が固定され、従来使用されるプラスチックカバーやテープ、輪ゴムなどを使用する必要がなく、包装層１１の使用により、使用者は直接肉穂花序２１箇所に鮮度保持液を吹き付けた後前記包装層１１で被覆し、鮮度保持効果を達することができ、実用性と進歩性を備えている。
二、緩衝物３０aにより大きすぎる肉穂花序２１aの断裂を効果的に防止することができる。
三、環境保護の概念に沿っており、テープや輪ゴム、プラスチックカバー、鮮度保持管を使用する必要がない。
四、鮮度保持液と包装層１１により、花卉２０の鮮度保持程度を高めることができ、鮮度保持管を使用する必要がない。
五、包装手順が簡易で、手間のかかる包装方法を必要としない。
【図面の簡単な説明】
【００１２】
【図１】本考案の最良の実施例の立体分解図である。
【図２】本考案の最良の実施例の断面図である。
【図３】本考案の最良の実施例の実施を示す断面図である。
【考案を実施するための形態】
【００１３】
上述の目的及び効果を達するため、本考案が採用する技術手段及び構造について、以下図面と本考案の最良の実施例を参照してその特徴と機能を詳細に説明し、完全な理解を促す。
【００１４】
図１と図２に本考案の最良の実施例の立体分解図と断面図をそれぞれ示す。これらの図からはっきりとわかるように、本考案の包装箱は、花卉の収容に供する箱体１０を含み、そのうち前記箱体１０内に環境に配慮した材質の包装層１１が設置され、前記包装層１１上に板体１２が設置され、前記板体１２上を被覆して固定層１３が設置され、前記固定層１３は発泡ポリエチレンまたは環境に配慮した材質としてもよく、かつ前記固定層１３は複数の固定部材を利用して前記板体１２と相互に固定することができ、使用者が花卉２０を包装するときは、まず前記箱体１０より面積がやや大きい前記包装層１１を前記箱体１０内に敷き、前記箱体１０の底部面積よりやや小さい前記板体１２を前記箱体１０内に設置し、同時に前記固定層１３により前記板体１２の上下を被覆し、且つ固定部材で固定した後、前記花卉２０を前記固定層１３上に差し込んで、前記花卉２０を固定し、さらに鮮度保持効果を達するために鮮度保持液を前記花卉２０の肉穂花序２１、仏炎苞片箇所に吹き付け、さらに前記包装層１１で前記花卉２０上を被覆して鮮度保持液が揮発しにくくし、花卉２０により長時間鮮度を保持させて、長距離輸送時にも鮮度をより長く維持させることができる。
【００１５】
図３に本考案の最良の実施例の実施を表す断面図を示す。この図からはっきりと分かるように、前記箱体１０ａ内に複数の花卉２０ａが収容され、前記花卉２０ａは前記固定層１３ａを利用して固定され、さらに前記包装層１１ａで被覆される。そのうち、前記花卉２０ａは肉穂花序２１ａ箇所にさらに前記肉穂花序２１ａの凹陥を防止する緩衝物３０ａが設置され、前記緩衝物３０ａは緩衝性と柔軟性を備えた材質とすることができ、前記花卉２０ａが比較的大きく、肉穂花序２１ａが大きな体積のために垂下するとき、前記緩衝物３０ａにより前記肉穂花序２１ａを支持し、運送過程において前記肉穂花序２１ａが大きすぎて垂下し、前記花卉２０ａが断裂してしまうという問題を回避することができる。
【００１６】
以上の説明は本考案の最良の実施例であり、本考案の特許の範囲を限定するものではなく、本考案の明細書及び図面の内容を運用した簡易な修飾及び同等効果の構造変化はすべて、本考案の特許の範囲内に含まれるものとする。
【００１７】
上述をまとめると、本考案の花卉用包装箱は使用時にその効果と目的を確実に達することができるため、本考案は実用性に優れた創作であり、実用新案登録の出願要件を満たしているため、法に基づきここに出願を提出するものである。
【符号の説明】
【００１８】
１０、１０ａ    箱体
１１、１１ａ    包装層
１２      板体
１３、１３ａ    固定層
２０、２０ａ    花卉
２１、２１ａ    肉穂花序
３０ａ    緩衝物
【図１】
0003159331.tif 000003
【図２】
0003159331.tif 000004
【図３】
0003159331.tif 000005
【手続補正書】
【提出日】平成22年3月16日(2010.3.16)
【手続補正１】
【補正対象書類名】実用新案登録請求の範囲
【補正対象項目名】請求項２
【補正方法】変更
【補正の内容】
【請求項２】
前記固定層が発泡ポリエチレンのような自然分解が可能な材質であることを特徴とする、請求項１に記載の花卉用包装箱。
【手続補正２】
【補正対象書類名】実用新案登録請求の範囲
【補正対象項目名】請求項６
【補正方法】変更
【補正の内容】
【請求項６】
前記包装層が自然分解可能な材質であることを特徴とする、請求項１に記載の花卉用包装箱。
【手続補正３】
【補正対象書類名】明細書
【補正対象項目名】０００１
【補正方法】変更
【補正の内容】
【０００１】
本考案は花卉の包装に関し、特に、包装される花卉の鮮度を保持でき、包装材が環境に汚染を引き起こす原因となるような材料を用いないよう配慮した、包装手順が簡易な花卉用包装箱に関する。
【手続補正４】
【補正対象書類名】明細書
【補正対象項目名】０００６
【補正方法】変更
【補正の内容】
【０００６】
本考案の考案者は上述の欠点に鑑みて、関連資料を収集し、多方面での評価と考慮を経て、関連産業において蓄積した長年の経験に基づき、試作と修正を重ね、汚染に影響を及ぼすことがないものであることを配慮して鮮度を保持でき、手順が簡易な花卉用包装箱の実用新案の開発に至ったものである。
【手続補正５】
【補正対象書類名】明細書
【補正対象項目名】０００９
【補正方法】変更
【補正の内容】
【０００９】
本考案の花卉用包装箱は、花卉が箱体に収容され、前記箱体内に包装層が設けられ、前記包装層上に平らにするための板体が設置され、前記板体上に固定層が設置され、前記固定層上に少なくとも１つの花卉が差し込まれ、前記固定層により花卉を効果的に固定することができ、そのうち前記固定層は発泡ポリエチレンのような自然分解が可能な材質とし、使用者が花卉の包装を行うときは、まず前記箱体より面積が大きい前記包装層を箱体内に敷き、前記箱体の底部面積よりやや小さい前記板体を前記箱体内に設置し、前記固定層により前記板体の上下を被覆して固定した後、さらに前記花卉を前記固定層上に差し込んで前記花卉を固定し、さらに鮮度保持効果を達するために鮮度保持液を前記花卉の肉穂花序、仏炎苞片の箇所に吹き付け、上述の手順が完了した後、前記包装層で４面を被覆して、本考案の花卉用包装箱での包装が完了する。
【手続補正６】
【補正対象書類名】明細書
【補正対象項目名】００１４
【補正方法】変更
【補正の内容】
【００１４】
図１と図２に本考案の最良の実施例の立体分解図と断面図をそれぞれ示す。これらの図からはっきりとわかるように、本考案の包装箱は、花卉の収容に供する箱体１０を含み、そのうち前記箱体１０内に汚染に影響を及ぼすことがないものであることを配慮した材質の包装層１１が設置され、前記包装層１１上に板体１２が設置され、前記板体１２上を被覆して固定層１３が設置され、前記固定層１３は発泡ポリエチレンのような自然分解が可能な材質としてもよく、かつ前記固定層１３は複数の固定部材を利用して前記板体１２と相互に固定することができ、使用者が花卉２０を包装するときは、まず前記箱体１０より面積がやや大きい前記包装層１１を前記箱体１０内に敷き、前記箱体１０の底部面積よりやや小さい前記板体１２を前記箱体１０内に設置し、同時に前記固定層１３により前記板体１２の上下を被覆し、且つ固定部材で固定した後、前記花卉２０を前記固定層１３上に差し込んで、前記花卉２０を固定し、さらに鮮度保持効果を達するために鮮度保持液を前記花卉２０の肉穂花序２１、仏炎苞片箇所に吹き付け、さらに前記包装層１１で前記花卉２０上を被覆して鮮度保持液が揮発しにくくし、花卉２０により長時間鮮度を保持させて、長距離輸送時にも鮮度をより長く維持させることができる。